(57)【要約】底部（１２）と側壁（１１）とを備え、底部（１２）と側壁（１１）の一方とを結合することによりスペースが形成され、底部の下面に一つ又は複数の突起（１２Ａ、１２Ｂ、１２Ｃ）が設けられた、検出容器である。さらに、検出容器はスペースを複数のサブスペースに仕切る分割部材を含む。【選択図】図１
2010537904.tif 000002
【特許請求の範囲】
【請求項１】
底部（１２、３２）と側壁（１１、３１）とを備え、前記底部（１２、３２）と前記側壁（１１、３１）の一方とを結合することによりスペースが形成され、前記底部の下面に一つ又は複数の突起（１２Ａ、１２Ｂ、１２Ｃ）が設けられた、検出容器。
【請求項２】
側壁（１１、３１）の他方に凸縁（３３）が設けられた、請求項１に記載の検出容器。
【請求項３】
底部（１２、３２）と側壁（１１、３１）とで形成されたスペースを複数のサブスペースに仕切る分割部材（３５）をさらに含む、請求項１又は２に記載の検出容器。
【請求項４】
側壁（１１、３１）の内面に設けられた輪ゴム、ボタン付の包帯、バネ付の圧板をさらに含む、請求項１又は２に記載の検出容器。
【請求項５】
側壁（１１、３１）の外面に設けられた筋部材（３５）をさらに含む、請求項３又は４に記載の検出容器。
【請求項６】
前記一つ又は複数の突起（１２Ａ、１２Ｂ、１２Ｃ）は円周方向に沿って分布する、請求項５に記載の検出容器。
【請求項７】
前記分割部材（３５）は複数の分岐を有する、請求項３に記載の検出容器。
【請求項８】
前記分割部材（３５）は底部（１２、３２）及び側壁（１１、３１）と脱装可能又は一体となることができる、請求項３に記載の検出容器。
【請求項９】
側壁（３１）は弾性材料で製造できる、請求項１に記載の検出容器。
【請求項１０】
分割部材（３５）は弾性材料で製造できる、請求項３に記載の検出容器。
【請求項１１】
前記複数の分岐のそれぞれの断面はＳ形である、請求項７に記載の検出容器。
【請求項１２】
前記側壁（１１、３１）は円錐状である、請求項１に記載の検出容器。
【請求項１３】
前記側壁（１１、３１）は円柱状である、請求項１に記載の検出容器。
【請求項１４】
前記突起（１２Ａ、１２Ｂ、１２Ｃ）は円錐状である、請求項１に記載の検出容器。
【請求項１５】
前記底部（１２、３２）の上面のうち、前記複数のサブスペースに対応する領域が互いに異なる色に塗布されている、請求項３に記載の検出容器。
【請求項１６】
前記側壁（１１、３１）が中空である、請求項１に記載の検出容器。
【請求項１７】
底部（１２、３２）と側壁（１１、３１）とを備え、前記底部（１２、３２）と前記側壁（１１、３１）の一方とを結合することによりスペースが形成され、前記スペースを複数のサブスペースに仕切る分割部材（３５）をさらに含む、検出容器。
【請求項１８】
底部（１２、３２）と側壁（１１、３１）とを備え、前記底部（１２、３２）と前記側壁（１１、３１）の一方とを結合することによりスペースが形成され、側壁（１１、３１）の内面に設けられた輪ゴム、ボタン付の包帯、バネ付の圧板をさらに含む、検出容器。
【請求項１９】
底部（１２、３２）と側壁（１１、３１）とを備え、前記底部（１２、３２）と前記側壁（１１、３１）の一方とを結合することによりスペースが形成され、側壁（１１、３１）の外面に設けられた筋部材（３５）をさらに含む、検出容器。
【発明の詳細な説明】
【技術分野】
【０００１】
本発明は、放射線による結像により物品検出を行う技術分野に関し、特に放射線源から放射される放射線により、液体の物品を検出する検出容器に関する。
【背景技術】
【０００２】
従来、放射線源から放射される放射線により、液体の物品を検出する設備は、毎回瓶毎に検出することしかできないため、検出効率が低い。また、被検体が回転ディスク上に直接置かれるので、形状が細長くて不規則な被検体の場合、検出時に、不安定になりがちなので、検出効果に影響を及ぼすか、又は検出時間が更に長くなるため、検出効率が低下する。
【発明の概要】
【発明が解決しようとする課題】
【０００３】
従来技術における上述の欠点に鑑み、本発明は複数の瓶を同時に検出できる検出容器を提供することを目的とする。
【課題を解決するための手段】
【０００４】
本発明の一局面は、底部と側壁とを備え、前記底部と前記側壁の一方の端とを結合することによりスペースが形成され、前記底部の下面に一つ又は複数の突起が設けられた、検出容器を提供する。
側壁の他方には凸縁を設けることが好ましい。
検出容器は底部と側壁とで形成されたスペースを複数のサブスペースに仕切る分割部材をさらに含むことが好ましい。
検出容器は側壁の内面に設けられた輪ゴム、ボタン付の包帯、バネ付の圧板をさらに含むことが好ましい。
検出容器は側壁の外面に設けられた筋部材をさらに含むことが好ましい。
前記一つ又は複数の突起が円周方向に沿って分布することが好ましい。
前記分割部材は複数の分岐を有することが好ましい。
前記分割部材は底部及び側壁と脱装可能又は一体となりうることが好ましい。
側壁は弾性材料で製造できることが好ましい。
分割部材は弾性材料で製造できることが好ましい。
前記複数の分岐のそれぞれの断面は平板形であることが好ましい。
前記側壁は円錐形であることが好ましい。
前記側壁は円柱状であることが好ましい。
前記突起は円錐状であることが好ましい。
前記底部の上面のうち、前記複数のサブスペースに対応する領域が互いに異なる色に塗布されていることが好ましい。
前記側壁は中身が詰まっているものであるか又は中空であることが好ましい。
本発明のもう一つの局面は、底部と側壁とを備え、前記底部と前記側壁の一方とを結合することによりスペースが形成され、前記スペースを複数のサブスペースに仕切る分割部材をさらに含む、検出容器を提供する。
本発明のその他の局面は、底部と側壁とを備え、前記底部と前記側壁の一方とを結合することによりスペースが形成され、側壁の内面に設けられた輪ゴム、ボタン付の包帯、バネ付の圧板をさらに含む、検出容器を提供する。
本発明のもう一つの局面は、底部と側壁とを備え、前記底部と前記側壁の一方とを結合することによりスペースが形成され、側壁の外面に設けられた筋部材をさらに含む、検出容器を提供する。
【発明の効果】
【０００５】
本発明の複数の瓶を検出できる検出容器によれば、毎回複数瓶の液体物品を検出できるので、物品の検出効率が向上する。
【図面の簡単な説明】
【０００６】
下記図面を参照しながら発明を詳しく説明することにより、本発明の上述の特徴及び利点はより明らかになる。
【図１】図１は本発明の第１実施形態における検出容器の構造を示す図である。
【図２】図２は図１に示す検出容器のＡから見た図である。
【図３】図３は本発明の第２実施形態における検出容器の構造を示す図である。
【図４】図４は図３に示す検出容器のＢから見た図である。
【図５】図５は図３に示す検出容器のＣから見た図である。
【発明を実施するための形態】
【０００７】
以下に、添付図面を参照しながら、本発明に係る好ましい実施の形態を詳しく説明する。添付図面において、同一の図面記号が異なる図面中の同一又は類似する部材を表している。明確かつ簡明になるために、本発明に含まれる既知の機能及び構造に関する詳細な記載を、本発明の主題が不明確になることを避けるように省略する。
図１は本発明の第１実施形態における検出容器の構造を示す図である。図１に示すように、第１実施形態における検出容器１が、底部１２と、底部と結合する側壁１１とを含む。底部の下面において、複数の円錐状又はその他の形状の突起１２Ａ、１２Ｂ及び１２Ｃが設けられている。この３つの円錐状の突起が回転ディスク２上の対応する位置決め孔に挿入できるので、回転ディスクの回転時に、検出容器１が回転ディスク２とともに回転し、両者間の相対運動の発生を防止できる。また、図１に示すように、利用者が掴んだり、運搬したりしやすくするために、側壁１１の頂部にその周囲を一周する凸縁１３が設けられている。側壁３１は円柱状又は円錐状であり、かつ弾性材料、例えばポリエチレン（ＰＥ）又はアルミニウムで製造できる。
図２は図１に示す検出容器１のＡから見た図である。底部の下面には、３つの突起１２Ａ、１２Ｂ及び１２Ｃが均一に分布しているが、不均一に分布してもよい。
また、側壁の内側に複数の輪ゴム、ボタン付の包帯、バネ付の圧板（図示しない）などが設けられることにより、検出すべき液体物品、例えば複数瓶の化粧品を、一時的に底部１２と側壁１１からなる内部スペースに固定させることができるので、検出が便利になる。
図３は本発明の第２実施形態における検出容器の構造を示す図である。図３に示すように、第２実施形態における検出容器３が、底部３２と、底部とを結合する側壁３１とを含む。同様に、底部の下面に複数の円錐状の突起３２Ａ、３２Ｂ及び３２Ｃが設けられている。この３つの円錐状の突起が回転ディスク２上の対応する位置決め孔に挿入できるので、回転ディスクの回転時に、検出容器１が回転ディスク２とともに回転し、両者間の相対運動の発生を防止できる。また、図１に示すように、利用者が掴んだり、運搬したりしやすくするために、側壁３１の頂部にその周囲を一周する凸縁３３が設けられている。側壁３１が弾性材料、例えばポリエチレン（ＰＥ）又はアルミニウムで製造できる。さらに、側壁３１は中空であってもよい。これにより、検出容器の製造に必要な材料を節約することができる。
図４は図３に示す検出容器のＢから見た図であり、図５は図３に示す検出容器のＣから見た図である。図面に示すように、底部３２と側壁３１とで形成されたスペースに、当該スペースが必要に応じてそれぞれ液体物品を置くための複数のスペースに仕切られる分割部材３５が設けられている。これにより、複数の液体物品を同時に検出する必要がある場合、これらの複数の液体物品を、それぞれ分割部材３５により仕切られるスペースに置いて、同時に検出する。この場合、検出時の検出容器内の物品の位置決めが便利となるように、側壁の外面に筋３４を設けることができる。たとえば、検出容器内の４つの物品のうち、一つ疑わしい瓶があった場合、当該物品の、側壁３１に設けられた筋に対する角度に基づいて、ユーザーにどれが疑わしいかを伝えることができる。
また、底部３２の上面のうち、分割部材３５によって仕切られたスペースと対応する部分を異なる色に塗布することもできるので、ユーザーの各仕切られたスペースの識別がより便利となる。図４に示すように、底部３２の上面において、各領域がそれぞれ緑色、黄色、青色、及び赤色に塗布されている。
そして、代案として、分割部材３５を側壁３１及び底部３２から脱装可能なものにすることも考えられる。これにより、サイズが大きい液体物品の場合、それを分割板のない検出容器に直接入れ、かつ上述した輪ゴム、ボタン付の包帯、バネ付の圧板などにより一時的に固定させることで、検出が便利になる。比較的小さい物品の場合、分割板３５を側壁に挿入することで、大きいスペースを小さいスペースに仕切って、複数の物品を、対応するスペースに入れることにより、検出効率が向上する。当然の如く、分割部材３５が側壁及び底部と脱装不可能にされていてもよい。なお、分割部材３５が弾性材料、例えばポリエチレン（ＰＥ）又はアルミニウムで製造できているものであってもよい。
また、上述した輪ゴム、ボタン付の包帯、バネ付の圧板などを、分割部材３５により仕切られたスペースに用いることもできる。このようにして、更に小さい物品の場合であっても、それぞれのスペースに一時的に固定させることもできる。
以上のように、側壁３１が円錐状にされてもよいので、未使用の状態下で、複数の検出容器を重ねて置くことができるので、これらの検出容器を保存するスペースを省くことができる。
また、もう一つ代案として、側壁３１を円柱状、又は四角形などの形状、あるいは前記形状の組合せにしてもよい。
前記検出容器３において、分割部材３５は１本又は複数本であってもよい。これにより、容器内部スペースが複数のサブスペースに仕切られ、物品を一時的に固定させるとともに、検出効率が向上する。また、物品を輪ゴム、ボタン付の包帯、バネ付の圧板などにより容器内部に固定させることもできる。さらに、位置を識別しやすく、かつ小さい物品を入れ、固定しやすくように、異なる色を塗布することにより異なる領域を示すこともできる。
図に示した分割部材３５の各分岐は平板状であるが、曲面であってもよい。たとえば、容器の内部スペースを二つのサブスペースに仕切る必要がある場合、分割板３５を横断面がＳ状となる曲面にすることができるので、断面が円形の物品を検出する場合、物品をより確実に固定させることができる。
上述の記載は本発明の実施形態をなすための内容にすぎない。当業者にとって、本発明の範囲から外れない限り、各種の修正又は一部の変形はすべて本発明の特許請求の範囲により特定された範囲に含まれると理解されるべきである。したがって、本発明の保護範囲は特許請求の範囲の保護範囲を基準とする。
【図１】
2010537904.tif 000003
【図２】
2010537904.tif 000004
【図３】
2010537904.tif 000005
【図４】
2010537904.tif 000006
【図５】
2010537904.tif 000007
【国際調査報告】
2010537904.tif 000008
2010537904.tif 000009
2010537904.tif 000010
2010537904.tif 000011
2010537904.tif 000012
2010537904.tif 000013